(57)【要約】【課題】  机上に設置して容易に使用できるように、小型化かつ操作性に優れた画像読取記録装置を提供する。【解決手段】  原稿を積載する原稿台と、原稿台に沿って移動しながら原稿画像を読み取る光学手段を有する原稿読取手段と、原稿読取手段の下方に配置され、画像を形成するためのシートを支持するシート支持手段と、シート支持手段に支持されているシートに画像を形成する記録手段とを有し、シートの搬送方向と、原稿読取手段における光学手段の移動方向が略直角で、原稿読取手段の下方で、シート支持手段の側方に回路基板を設ける。【選択図】  図１
2006165637.tif 000002
【特許請求の範囲】
【請求項１】
原稿を積載する原稿台と、
前記原稿台に沿って移動しながら原稿画像を読み取る光学手段を有する原稿読取手段と、
前記原稿読取手段の下方に配置され、画像を形成するためのシートを支持するシート支持手段と、
前記シート支持手段に支持されているシートに画像を形成する記録手段とを有し、
シートの搬送方向と、前記原稿読取手段における光学手段の移動方向が略直角で、
前記原稿読取手段の下方で、前記シート支持手段の側方に回路基板が設けられたことを特徴とする画像読取記録装置。
【請求項２】
前記原稿読取手段の下方で、前記シート支持手段の第１の側方に回路基板が設けられたことを特徴とする請求項1に記載の画像読取記録装置。
【請求項３】
前記原稿読取手段の下方で、前記シート支持手段の第１の側方に第１の回路基板と第２の回路基板を設け、前記シート支持手段の第２の側方に第３の回路基板が設けられたことを特徴とする請求項1に記載の画像読取記録装置。
【請求項４】
前記原稿読取手段の下方で、前記シート支持手段の第１の側方に第１の回路基板を設け、前記シート支持手段の第２の側方に第２の回路基板と第３の回路基板が設けられたことを特徴とする請求項1に記載の画像読取記録装置。
【請求項５】
原稿を積載する原稿台と、
前記原稿台に沿って移動しながら原稿画像を読み取る光学手段を有する原稿読取手段と、
前記原稿読取手段の下方に配置され、画像を形成するためのシートを支持するシート支持手段と、
前記原稿読取手段の側方上部かつ前記シート支持手段の上部に配置され、前記シート支持手段に支持されているシートにインクを吐出して画像を形成するインクジェット記録手段とを有し、
シートの搬送方向と、前記原稿読取手段における光学手段の移動方向が略直角で、
前記原稿読取手段または前記インクジェット記録手段の下方で、
前記シート支持手段の側方に回路基板を配置したことを特徴とする請求項1に記載の画像読取記録装置。
【請求項６】
前記インクジェット記録手段はインクヘッドの吸引動作を行う回復部を有し、
前記原稿読取手段または前記インクジェット記録手段の下方で、前記回復部の下方側である前記シート支持手段の第１の側方と対称側である第２の側方に回路基板が設けられたことを特徴とする請求項５に記載の画像読取記録装置。
【請求項７】
前記原稿読取手段または前記インクジェット記録手段の下方で、前記第１の側方に第１の回路基板と第２の回路基板を設け、前記第２の側方に第３の回路基板が設けられたことを特徴とする請求項５に記載の画像読取記録装置。
【請求項８】
前記原稿読取手段または前記インクジェット記録手段の下方で、前記第１の側方に第１の回路基板を設け、前記第２の側方に第２の回路基板と第３の回路基板が設けられたことを特徴とする請求項５に記載の画像読取記録装置。
【請求項９】
前記インクジェット記録手段の背面に第4の回路基板を有することを特徴とする請求項５から８までのいずれか１項に記載の画像読取記録装置。
【請求項１０】
前記第１の回路基板に、装置全体の制御を行う制御回路が設けられたことを特徴とする請求項１から９までのいずれか１項に記載の画像読取記録装置。
【請求項１１】
前記第２の回路基板に、画像情報の通信を行うための通信回路が設けられたことを特徴とする請求項１から１０までのいずれか１項に記載の画像読取記録装置。
【請求項１２】
前記第３の回路基板に、電源入力部が設けられたことを特徴とする請求項１から１１までのいずれか１項に記載の画像読取記録装置。
【請求項１３】
前記第４の回路基板に、前記記録部の制御を行う制御回路が設けられたことを特徴とする請求項５から１２までのいずれか１項に記載の画像読取記録装置。
【請求項１４】
シート排出方向を装置前面とし、前記シート支持手段は引き出し方式の収納カセットであり、前記収納カセットの引き出し方向は装置前面であることを特徴とする請求項１から１３までのいずれか１項に記載の画像読取記録装置。
【請求項１５】
前記シート支持手段に支持されているシートをＵターンして前記インクジェット記録手段へ搬送する搬送手段とを有することを特徴とする請求項５から１４までのいずれか１項に記載の画像読取記録装置。
【発明の詳細な説明】
【技術分野】
【０００１】
本発明は、原稿台上に載置した原稿の画像を読み取る機能と、搬送するシート上に画像を形成する機能とを具備した画像読取記録装置に関するものである。
【背景技術】
【０００２】
従来、この種の画像読取記録装置としては、例えば複写機、ファクシミリ装置あるいは複合機などがある。
【０００３】
これらの画像記録装置では、原稿台に載置された原稿の原稿画像を走査して画像を読み取るフラットベットタイプの画像読取手段（フラットベットスキャナ）を備えた装置が知られている。このような装置では、原稿台に載値する原稿を押さえるなどのための圧板を開閉自在に回動させる構成としている。
【０００４】
そこで、装置全体の構成としては、装置本体の最上部に読取部を配置し、かつ装置本体を一体型するためには、記録部を読取部の下側に配置し、さらに記録紙排出口も読取部の下側に配置する構成としていた。
【０００５】
しかし、このような構成では、記録部で印字された記録紙を排出する場合、読取部と記録部との間に排出することが可能なように、排紙積載部をかなりの空間で確保した構成としていたために装置が縦に大型化してしまうという欠点があった。
【０００６】
そこで、装置全体を小型にする構成として、図７に示すように装置本体の下部に記録紙を載置する記録紙カセット７１を配置し、かつその上部に読取部７２を配置し、さらに読取部及び記録紙カセットの側方に記録部７３を配置するような構成が提案されている。また制御用回路基板７４は、記録紙カセット７１と読取部７２の間に配置されている。
【０００７】
尚、本発明に関する従来技術としては、例えば特開平5-207211号公報記載の技術がある。
【特許文献１】特開平5-207211号公報
【発明の開示】
【発明が解決しようとする課題】
【０００８】
しかしながら、上記特開平5-207211号公報記載のような従来技術の場合には、以下のような問題があった。
【０００９】
特開平5-207211号公報記載の技術では、記録紙の搬送方向を読取部の副走査方向を直交させている構成も提案されているが、記録部に熱転写記録を用い、記録カセットの側方にインクフィルムロールおよび記録手段を配置したため、装置奥行き方向が大きくなるという課題があった。また記録紙カセットの上部に制御用回路基板を配置し、さらにその上部に読取部を配置しているために、装置本体の高さ方向が大きくなるという課題があった。
【００１０】
本発明は上記の従来技術の課題を解決するためになされたものであり、その目的とするところは、机上に設置して容易に使用できるように、小型化かつ操作性に優れた画像読取記録装置を提供するところに有る。
【課題を解決するための手段】
【００１１】
上記目的を達成するために本発明は以下のような構成を備える。
【００１２】
本発明に係わる画像読取記録装置の第１の構成は、原稿を積載する原稿台と、前記原稿台に沿って移動しながら原稿画像を読み取る光学手段を有する原稿読取手段と、前記原稿読取手段の下方に配置され、画像を形成するためのシートを支持するシート支持手段と、前記シート支持手段に支持されているシートに画像を形成する記録手段とを有し、シートの搬送方向と、前記原稿読取手段における光学手段の移動方向が略直角で、前記原稿読取手段の下方で、前記シート支持手段の側方に回路基板が設けられたことを特徴とする。
【００１３】
本発明に係わる画像読取記録装置の第２の構成は、前記原稿読取手段の下方で、前記シート支持手段の第１の側方に回路基板が設けられたことを特徴とする。
【００１４】
本発明に係わる画像読取記録装置の第３の構成は、前記原稿読取手段の下方で、前記シート支持手段の第１の側方に第１の回路基板と第２の回路基板を設け、前記シート支持手段の第２の側方に第３の回路基板が設けられたことを特徴とする。
【００１５】
本発明に係わる画像読取記録装置の第４の構成は、前記原稿読取手段の下方で、前記シート支持手段の第１の側方に第１の回路基板を設け、前記シート支持手段の第２の側方に第２の回路基板と第３の回路基板が設けられたことを特徴とする。
【００１６】
本発明に係わる画像読取記録装置の第５の構成は、原稿を積載する原稿台と、前記原稿台に沿って移動しながら原稿画像を読み取る光学手段を有する原稿読取手段と、前記原稿読取手段の下方に配置され、画像を形成するためのシートを支持するシート支持手段と、前記原稿読取手段の側方上部かつ前記シート支持手段の上部に配置され、前記シート支持手段に支持されているシートにインクを吐出して画像を形成するインクジェット記録手段とを有し、シートの搬送方向と、前記原稿読取手段における光学手段の移動方向が略直角で、前記原稿読取手段または前記インクジェット記録手段の下方で、前記シート支持手段の側方に回路基板を配置したことを特徴とする。
【００１７】
本発明に係わる画像読取記録装置の第６の構成は、前記インクジェット記録手段はインクヘッドの吸引動作を行う回復部を有し、前記原稿読取手段または前記インクジェット記録手段の下方で、前記回復部の下方側である前記シート支持手段の第１の側方と対称側である第２の側方に回路基板が設けられたことを特徴とする。
【００１８】
本発明に係わる画像読取記録装置の第７の構成は、前記原稿読取手段または前記インクジェット記録手段の下方で、前記第１の側方に第１の回路基板と第２の回路基板を設け、前記第２の側方に第３の回路基板が設けられたことを特徴とする。
【００１９】
本発明に係わる画像読取記録装置の第８の構成は、前記原稿読取手段または前記インクジェット記録手段の下方で、前記第１の側方に第１の回路基板を設け、前記第２の側方に第２の回路基板と第３の回路基板が設けられたことを特徴とする。
【００２０】
本発明に係わる画像読取記録装置の第９の構成は、前記インクジェット記録手段の背面に第4の回路基板を有することを特徴とする。
【００２１】
本発明に係わる画像読取記録装置の第１０の構成は、前記第１の回路基板に、装置全体の制御を行う制御回路が設けられたことを特徴とする。
【００２２】
本発明に係わる画像読取記録装置の第１１の構成は、前記第２の回路基板に、画像情報の通信を行うための通信回路が設けられたことを特徴とする。
【００２３】
本発明に係わる画像読取記録装置の第１２の構成は、前記第３の回路基板に、電源入力部が設けられたことを特徴とする。
【００２４】
本発明に係わる画像読取記録装置の第１３の構成は、前記第４の回路基板に、前記記録部の制御を行う制御回路が設けられたことを特徴とする。
【００２５】
本発明に係わる画像読取記録装置の第１４の構成は、シート排出方向を装置前面とし、前記シート支持手段は引き出し方式の収納カセットであり、前記収納カセットの引き出し方向は装置前面であることを特徴とする。
【００２６】
本発明に係わる画像読取記録装置の第１５の構成は、前記シート支持手段に支持されているシートをＵターンして前記インクジェット記録手段へ搬送する搬送手段とを有することを特徴とする。
【００２７】
前記手段により原稿読取手段の下方にシート支持手段を配置し、シートの搬送方向と、原稿読取手段における光学手段の移動方向が略直角で、原稿読取手段の下方で、前記シート支持手段の側方に回路基板が設けたことにより、装置高さ方向を小型化することができる。また机上に設置して読取部を使用する場合の操作性を向上させることができる。
【００２８】
また原稿読取手段の下方で、シート支持手段のひとつの側方に回路基板を設けたことにより、各基板どうしを接続するケーブル等の接続手段の経路が単純になり、部品コスト、組立コストを削減することができる。また基板の組立性、メンテナンス性を向上することができる。
【００２９】
また原稿読取手段の下方で、シート支持手段の第１の側方に装置全体の制御を行う制御回路を有す第１の回路基板と画像情報の通信を行うための通信回路を有す第２の回路基板を設け、シート支持手段の第２の側方に電源入力部を有す第３の回路基板を設けたことにより、第３の回路基板から発するノイズ及び熱の影響を他の基板に及ぼさないようにすることができる。
【００３０】
また原稿読取手段の下方で、シート支持手段の第１の側方に第１の回路基板を設け、シート支持手段の第２の側方に電源コードが取り付く第２の回路基板と回線接続のための通信ケーブルが取り付く第３の回路基板を設けたことにより、装置の同一側面からコード類を引き出すことができる。
【００３１】
また原稿読取手段の下方にシート支持手段、原稿読取手段の側方上部かつシート支持手段の上部にインクジェット記録手段を配置し、シートの搬送方向と、原稿読取手段における光学手段の移動方向を略直角で、原稿読取手段の下方で、前記シート支持手段の側方に回路基板が設けたことにより、装置奥行き方向及び高さ方向を小型化することができる。また机上に設置して読取部を使用する場合の操作性を向上させることができる。
【００３２】
またインクジェット記録手段の回復部の下方側である前記シート支持手段の第１の側方と対称側である第２の側方に回路基板を設けたことにより、基板へのインクミスト等の付着を防止することができる。また各基板どうしを接続するケーブル等の接続手段の経路が単純になり、部品コスト、組立コストを削減することができる。また基板の組立性、メンテナンス性を向上することができる。
【００３３】
またシート支持手段を引き出し方式の収納カセットとし、収納カセット引き出しを装置前面から操作できるように配したことにより、操作性が向上する。
【００３４】
また装置奥側の上方に記録部を配置することにより、インクジェット記録手段による印字精度を最大限に発揮する重力方向印字を可能とし、さらに印字済みシートを精度良く保つ水平排紙を可能とすることができる。
【００３５】
またインクジェット記録手段を配置し、記録ヘッドを交換することにより、簡単にカラー印字を行うことができる。
【発明の効果】
【００３６】
以上説明したように本発明によれば、原稿読取部及び記録部の下方に記録紙カセットを配置し、また原稿読取部の光学手段の移動方向と記録紙カセットの長手方向およびシート搬送方向を直交に配置し、原稿読取部及び記録部の下方で、記録紙カセットの側方の空きスペースに回路基板を並べて配置設けたことにより、スペース効率がアップし、装置高さ方向を小型化することができる。また原稿読取部Ａを低い位置に配置することができ、机上に設置して読取部を使用する場合の操作性を向上させることができる。
【００３７】
また各基板を電気的に接続するためのケーブルやコネクタ等の接続手段の手段及び経路が極めて単純になり、部品コストが削減でき、また組立性が至って良好となって、組立コストを削減できる。また基板の組立性、メンテナンス性を向上することができる。
【００３８】
また電源入力部とモジュラージャックコネクタとが装置側面に開口した穴部で本体外部に露出していることから、電源コードとモジュラーケーブルを共に装置側面から引き出して引きまわすことができ、机上で装置を使用する場合において、これらのコード類が机上に煩雑にならず、スペースを取らず、実質的な設置スペースが最小限に押さえられ、ユーザーにとって使い勝手の良い装置となる。
【００３９】
また記録部の回復ユニットが配置されていない記録紙カセットの側方の空きスペースに各基板を配置することにより、基板へのインクミスト等の付着を防止することができる。
【００４０】
また電源基板とＮＣＵ基板及び制御基板を離した位置に配置したことにより、電源基板から発するノイズ及び熱の影響を他の基板に及ぼさないようにすることができる。
【００４１】
原稿読取部の下方に記録紙カセットを設け、原稿読取部の側方上部および記録紙カセットの上部にインクジェット記録部を配置し、また原稿読取部の光学手段の移動方向と記録紙カセットの長手方向およびシート搬送方向を直交に配置し、原稿読取部の上部に記録部で画像が形成されたシートを排出するようにした配置構成をとったことにより、省スペースかつ良好な操作性を有する画像読取記録装置を提供することができる。
【００４２】
また原稿台に載置された原稿を原稿台側に押圧する圧板を、原稿台を開放する方向に回動可能に設け、原稿押え面とは反対側の面上に、シート排出手段から排出されたシートを積載するためのシート積載部を有することにより、シート積載トレイを設ける必要がなく、コストダウンすることができる。
【００４３】
また装置奥側の上方に記録部を配置することにより、インクジェット記録手段による印字精度を最大限に発揮する重力方向印字を可能とし、さらに記録面が上向き水平に圧板に排出されるため、記録状況が逐次確認でき、印字面を汚さない装置の取り扱いが便利になる。
【００４４】
また、装置本体に回動可能に保持され、シート排出手段の上方に設けられ、外装とカートリッジ交換蓋を兼ねた蓋体を設けたことにより、カートリッジ交換や記録部のメンテナンスなどを容易に行うことができ、操作性が向上する。
【００４５】
また操作部オペレーション、記録紙の交換、原稿のセット、記録ヘッドの交換等全てフロントアクセスでき、机上に設置して容易に使用することができる。
【発明を実施するための最良の形態】
【００４６】
以下、図を参照して本発明による画像形成装置の実施の形態を詳細に説明する。
【００４７】
［第一実施例］
実施形態に係る最も特徴となる画像読取記録装置の各部構成要素の配置を簡単に説明する。図1は画像読取記録装置の外観斜視図であり、図2は画像読取記録装置の概略構成断面図である。
【００４８】
図に示したように画像読取記録装置は、原稿読取手段としてのフラットベットスキャナ方式の原稿読取部Ａと、原稿読取部Ａの装置奥側上部に配置されている画像形成手段であるインクジェット記録装置の記録部Ｂと、原稿読取部Ａの下方に記録シート1を支持収納し、装置手前側Ｅに引き出し可能な記録前シート用積載部を構成する記録紙カセット（記録紙収納カセット）Ｃが設けられている。
【００４９】
また、記録部Ｂで記録印字された記録シート1が略水平に排出される排出口２を有するシート排出手段である排出部Ｄは、原稿読取部Ａで読み取られる原稿を押圧するカバー部材である圧板３の装置奥側に上部に位置している。
【００５０】
ここで、圧板３は原稿を原稿台側に押圧するカバーするための機能を備えると共に、原稿を押さえる側の反対側の面（上面）においては、排出口２から排出される記録済みのシートを積載するための記録済みシート積載部（排紙トレイ）としての機能も備えている。原稿のカバー部材としての圧板３は、圧板ヒンジ４を回動中心として装置奥側方向に回動可能に構成されている。
【００５１】
また記録部Ｂにおいて、記録カバー５が記録カバーヒンジ６を回動中心に上カバー７に回動可能に構成されている。
【００５２】
また５１は操作部であり液晶表示部とダイアルキー他の操作キーが図示のように配設されている。
【００５３】
次に読取部Ａについて説明する。
【００５４】
図３は画像読取記録装置の読取部部品上面配置図である。ここで原稿読取部Ａの長手方向およびイメージセンサの移動方向Ｆと、記録紙カセットＣの長手方向及び記録紙の搬送方向Ｇは直交するように配置されている。
【００５５】
図に示すように、読取部Ａでは原稿読取手段としてのイメージセンサ３０がイメージセンサホルダ３１に取り付けられており、イメージセンサホルダ３１がガイドレール３２に固定されており、図示していない読取駆動部により図示しないベルトが駆動されるに従ってイメージセンサ３０はガイドレール３２に沿って矢印Ｆで示す装置左右方向に水平に駆動される。イメージセンサ３０の上に原稿台としてのコンタクトガラス３３があり、このコンタクトガラス３３の原稿載置面上に原稿面を下向きにセットして、イメージセンサ３０の矢印Ｆ方向の読取走査により、原稿の画像情報を読み取る。
【００５６】
本実施例において、原稿のサイズは例えばＡ４サイズであり、イメージセンサの長手方向読み取り可能幅は、２１０ｍｍ、読み取り搬送距離は、２９７ｍｍである。
【００５７】
圧板ヒンジ４で回動可能な圧板３のコンタクトガラス３３に接する面は、スポンジ、あるいは発泡ウレタンなどの材料で形成され、原稿をコンタクトガラス３３に均一に押し付けるように構成されている。また、圧板ヒンジ４を原稿読取部Ａに対して上下方向に取り外し可能なように図示しない読取部カバーの穴に嵌合している。
【００５８】
次に記録シート1の流れについて概略説明を行う。一連の記録紙搬送路は矢印Ｇで示されている。
【００５９】
最初に記録紙カセットＣについて説明する。
【００６０】
記録シート1としては、普通紙やプラスチックシート等及びその他の材質であって、インクを転写し得るものを用いることが可能である。本実施例では、Ａ４サイズにカットされた普通紙を記録シート1として用いる。そして記録シート1は、複数枚重ねてカセットフレーム２１に図示しない記録紙高さ規制板により限られた枚数が収納積載される。カセットフレーム２１は図示しないスライダによって記録シート１のサイズに合わせて記録シート１の側面をガイドできるように構成されている。
【００６１】
また図２に於いて、記録シート１の底部に構成している中板２２は、図示しない回転軸を中心に回動可能に支持され、図示しない中板ばねにより記録シート１を分離ローラ２３へと接触させる。また、図示しない駆動系により分離ローラ２３が図示する矢印方向に１回転制御されており、ゴム部２３ａに記録シート１が接触すると前述中板２２の付勢力を得て、分離ローラ２３および分離パット２４によって１枚だけ分離され記録部ＢまでＵターン搬送される。
【００６２】
次に、記録部Ｂについて説明をする。
【００６３】
本装置の記録系としては、一般にインクジェット記録装置と称されるものを採用している。
【００６４】
図２に於いて、記録部Ｂはパソコン等の上位機器から伝送された画信号、文字データ等の画信号に応じて、あるいは読取部Ａで読み取った画像信号に応じて記録紙カセットＣより供給された記録シート1に画像を記録するものである。
【００６５】
詳細に説明をすると、記録紙押さえ１０は、ＬＦローラ１１側に押圧されてあり記録紙カセットＣより搬送された記録シート１の上ガイドを兼ねながら、ピンチローラ１０ａをＬＦローラ１１に対向させている。そして記録カートリッジ１２とプラテン板１３との間を記録シート１が搬送され、記録カートリッジ１２により重力方向にインクを吐出することにより記録動作を行う。本実施例に於いては、図示しないモータ及び駆動系により記録カートリッジ１２は、キャリッジ１２ａに着脱可能に搭載され、キャリッジシャフト１４を摺動することで、記録シート１の幅方向（記録シート搬送方向に直行する方向）に対して移動しながら、シリアル印字するよう構成している。また記録カートリッジ１２のインク吐出口の乾燥を防止するキャッピングユニット、インク吐出口の汚れや記録ヘッド内部の汚れを取り除く吸引回復を行うポンプユニット、インク吐出口の汚れを取り除くワイピングユニットが含まれる図示しない回復ユニットが記録シート１の幅方向の装置左側に構成されている。
【００６６】
次に印字記録後の記録シート１は、記録カートリッジ１２の下流に位置する排出部Ｄに搬送され、印字がなされた記録紙を装置の下流に搬送する排紙ローラ１５ａと、排紙ロ−ラの対向側にあり記録紙の印字面に接触してもインクが転写されることの無い材質で構成された拍車ローラ１５ｂにより印字面を汚さないように記録シート１を図示する矢印方向Ｇの機外へと搬送し、記録紙排紙トレイを兼ねた読取部Ａの圧板３上にストレートに排出される。
【００６７】
次に、本実施形態における回路基板のレイアウトを図４により説明する。
【００６８】
図４は画像読取記録装置の概略部品上面配置図１である。
【００６９】
図４において、原稿読取部Ａ及び記録部Ｂの下方で記録紙カセットＣの装置右側背面よりの位置に、電源入力部４１ａを含む電源回路を設けた電源基板４１が配置されている。電源入力部４１ａは装置右側面に開口した穴部４１ｂから本体外部に露出し、ここから図示しない電源コードによって外部の商用電源の電力を供給される。
【００７０】
また記録紙カセットＣの装置右側で電源基板４１の手前の位置に、画像情報の通信を行うためのＮＣＵやモデムなどの通信回路を設けたＮＣＵ基板４２が配置されている。このＮＣＵ基板４２には装置を電話回線に接続するためのモジュラージャックコネクタ４２ａが設けられていて、装置右側面に開口した穴部４２ｂから本体外部に露出し、ここから図示しないモジュラーケーブルによって電話回線に接続され、画像データなどの通信を可能とする。モジュラージャックコネクタ４２ａをＮＣＵ基板４２に設けず、モジュラ基板を別基板として設けてもよい。
【００７１】
また記録紙カセットＣの装置右側でＮＣＵ基板４２の手前の位置に、装置全体を制御するＣＰＵを含む制御回路と画像情報処理回路等を設けた制御基板４３が配置されている。
【００７２】
このように、原稿読取部Ａ及び記録部Ｂの下方で記録紙カセットＣの装置右側の空きスペースに各回路基板を並べて配置することにより、スペース効率がアップし、原稿読取部Ａを低い位置に配置することができ、読取部の操作性、排出された記録紙のハンドリング等操作性を向上させることができる。
【００７３】
また各基板を電気的に接続するためのケーブルやコネクタ等の接続手段の手段及び経路が極めて単純になり、部品コストが削減でき、また組立性が至って良好となって、組立コストを削減できる。
【００７４】
また電源入力部４１ａとモジュラージャックコネクタ４２ａとが装置右側面に開口した穴部４１ｂ、４２ｂで本体外部に露出していることから、電源コードとモジュラーケーブルを共に装置右側面から引き出して引きまわすことができ、机上で装置を使用する場合において、これらのコード類が机上に煩雑にならず、スペースを取らず、実質的な設置スペースが最小限に押さえられる。
【００７５】
また記録部Ｂの回復ユニットが配置されていない装置右側に各基板を配置することにより、基板へのインクミスト等の付着を防止することができる。
【００７６】
次に記録カートリッジ１２の装填や交換について説明する。記録カートリッジ１２の装填や交換は、記録カバー５が記録部の上部に設けられたことにより、操作者による記録カバー５の開閉で簡単に行うことができる。即ち、図２に示したように圧板３及び読取部Ａに干渉しないように、記録カバー５の開閉を行うことができるように構成されており、記録カートリッジ１２の着脱を自在として操作者の操作性及びメンテナンス性を向上させている。さらに、記録シート１の補充は、上述したように記録カセットＣの装置手前方向Ｅへの引き出し操作により簡単に行うことができる。
【００７７】
本発明の実施形態の一例として、記録シートとしてＡ４サイズの普通紙を１００枚収納可能な記録紙カセットＣの上に、Ａ４サイズ原稿を読み取るフラットベットスキャナ（原稿読取部）Ａを置き、装置奥側上部にインクジェット記録部Ｂを配置した構成とすれば、インクジェット記録部Ｂの記録カートリッジ１２の動作範囲に必要な大きさと、フラットベットスキャナのイメージセンサ３０の動作範囲がほぼ同じのため、装置本体の大きさは装置横幅３７０ｍｍ、装置奥行き３５０ｍｍ、装置高さ１８０ｍｍ、読取部の高さ６０ｍｍ程度の寸法サイズを達成することができ、設置面範囲が略Ａ３サイズも必要としないので個人のデスク上に本画像読取記録装置を設置して、操作者が座ったまま操作可能である。
【００７８】
［第二実施例］
前述した画像読取記録装置に於ける他の実施例について説明する。図中、第1の実施例と同じ番号を付している物は第1の実施例と同一の物とする。
【００７９】
本実施例は、回路基板の配置以外は前述した画像読取記録装置と同構成となっている。
【００８０】
図５は画像読取記録装置の概略部品上面配置図２である。
【００８１】
図５において、原稿読取部Ａ及び記録部Ｂの下方で記録紙カセットＣの装置右側背面よりの位置に、電源入力部５１ａを含む電源回路を設けた電源基板５１が配置されている。電源入力部５１ａは装置背面に開口した穴部５１ｂから本体外部に露出し、ここから図示しない電源コードによって外部の商用電源の電力を供給される。
【００８２】
また原稿読取部Ａ及び記録部Ｂの下方で記録紙カセットＣの装置左側背面よりの位置に、画像情報の通信を行うためのＮＣＵやモデムなどの通信回路を設けたＮＣＵ基板５２が配置されている。このＮＣＵ基板５２には装置を電話回線に接続するためのモジュラージャックコネクタ５２ａが設けられていて、装置背面に開口した穴部５２ｂから本体外部に露出し、ここから図示しないモジュラーケーブルによって電話回線に接続され、画像データなどの通信を可能とする。
【００８３】
また記録紙カセットＣの装置左側でＮＣＵ基板５２の手前の位置に、装置全体を制御するＣＰＵを含む制御回路と画像情報処理回路等を設けた制御基板５３が配置されている。
【００８４】
このように、原稿読取部Ａ及び記録部Ｂの下方で記録紙カセットＣの装置右側の空きスペースに電源基板５１を配置し、記録紙カセットＣの装置左側の空きスペースにＮＣＵ基板５２と制御基板５３を配置することにより、スペース効率がアップし、原稿読取部Ａを低い位置に配置することができ、読取部の操作性、排出された記録紙のハンドリング等操作性を向上させることができる。
【００８５】
また電源基板５１とＮＣＵ基板５２及び制御基板５３を離した位置に配置したことにより、電源基板５１から発するノイズ及び熱の影響を他の基板に及ぼさないようにすることができる。
【００８６】
また電源入力部５１ａとモジュラージャックコネクタ５２ａとが装置背面に開口した穴部５１ｂ、５２ｂで本体外部に露出していることから、電源コードとモジュラーケーブルを共に本体右側面から引き出して引きまわすことができ、机上で装置を使用する場合において、これらのコード類が机上に煩雑にならず、スペースを取らず、実質的な設置スペースが最小限に押さえられる。
【００８７】
［第三実施例］
前述した画像読取記録装置に於ける他の実施例について説明する。図中、第1の実施例と同じ番号を付している物は第1の実施例と同一の物とする。
【００８８】
本実施例は、回路基板の配置以外は前述した画像読取記録装置と同構成となっている。
【００８９】
図６は画像読取記録装置の概略部品上面配置図３である。
【００９０】
図６において、原稿読取部Ａ及び記録部Ｂの下方で記録紙カセットＣの装置右側背面よりの位置に、電源入力部６１ａを含む電源回路を設けた電源基板６１が配置されている。電源入力部６１ａは装置右側面に開口した穴部６１ｂから本体外部に露出し、ここから図示しない電源コードによって外部の商用電源の電力を供給される。
【００９１】
また記録紙カセットＣの装置右側で電源基板６１の手前の位置に、画像情報の通信を行うためのＮＣＵやモデムなどの通信回路を設けたＮＣＵ基板４２が配置されている。このＮＣＵ基板４２には装置を電話回線に接続するためのモジュラージャックコネクタ４２ａが設けられていて、装置右側面に開口した穴部４２ｂから本体外部に露出し、ここから図示しないモジュラーケーブルによって電話回線に接続され、画像データなどの通信を可能とする。
【００９２】
また原稿読取部Ａ及び記録部Ｂの下方で記録紙カセットＣの装置左側背面よりの位置に、装置全体を制御するＣＰＵを含む制御回路と画像情報処理回路等を設けた制御基板６３が配置されている。
【００９３】
このように、原稿読取部Ａ及び記録部Ｂの下方で記録紙カセットＣの装置右側の空きスペースに電源基板６１とＮＣＵ基板６２を配置し、記録紙カセットＣの装置左側の空きスペースに制御基板６３を配置することにより、スペース効率がアップし、原稿読取部Ａを低い位置に配置することができ、読取部の操作性、排出された記録紙のハンドリング等操作性を向上させることができる。
【００９４】
また電源入力部６１ａとモジュラージャックコネクタ６２ａとが装置右側面に開口した穴部６１ｂ、６２ｂで本体外部に露出していることから、電源コードとモジュラーケーブルを共に本体右側面から引き出して引きまわすことができ、机上で装置を使用する場合において、これらのコード類が机上に煩雑にならず、スペースを取らず、実質的な設置スペースが最小限に押さえられる。
【００９５】
電源基板６１と制御基板６３を離した位置に配置したことにより、電源基板６１から発するノイズ及び熱の影響を制御基板６３に及ぼさないようにすることができる。
【００９６】
以上、本発明の実施例の形態について説明をしたが、本発明はこの実施の形態に限られるものではなく、その要旨を逸脱しない範囲においてさらに種々主の形態を採用することができるのはもちろんである。
【００９７】
例えば、実施の形態は画像情報の通信を行うためのＮＣＵやモデムなどの通信回路を設けたＮＣＵ基板を有するファクシミリ装置あるいは複合機として構成されているが、ＮＣＵ基板を持たない複写機あるいは複合機に適用しても構わない。また操作部を装置前面に配置した構成の複写機、ファクシミリ装置あるいは複合機に適用しても構わない。さらに原稿読取部にイメージセンサを用いた場合を説明したが、光学ミラーを移動させる方式のフラットベットスキャナであっても構わない。
【図面の簡単な説明】
【００９８】
【図１】本発明を最も良く示す実施例における画像読取記録装置の外観斜視図である。
【図２】本発明における画像読取記録装置の概略構成断面図である。
【図３】本発明における画像読取記録装置の読み取り部部品上面配置図である。
【図４】本発明における画像読取記録装置の概略部品上面配置図１である。
【図５】本発明の他の実施例における画像読取記録装置の概略部品上面配置図２である。
【図６】本発明の他の実施例における画像読取記録装置の概略部品上面配置図３である。
【図７】従来例：特開平5-207211の概略構成断面図である。
【符号の説明】
【００９９】
１  記録シート
２  排出口
３  圧板
５  記録カバー
７  上カバー
１０  記録紙押さえ
１０ａ  ピンチローラ
１１  ＬＦローラ
１２  記録カートリッジ
１２ａ  キャリッジ
１３  プラテン板
１４  キャリッジシャフト
１５ａ  排紙ローラ
１５ｂ  拍車ローラ
２１  カセットフレーム
２２  中板
２３  分離ローラ
２３ａ  ゴム部
２４  分離パット
３０  イメージセンサ
３１  イメージセンサホルダ
３２  ガイドレール
３３  コンタクトガラス
４１  電源基板
４２  ＮＣＵ基板
４３  制御基板
Ａ  画像読取部
Ｂ  記録部
Ｃ  カセット
Ｄ  排出部
【図１】
2006165637.tif 000003
【図２】
2006165637.tif 000004
【図３】
2006165637.tif 000005
【図４】
2006165637.tif 000006
【図５】
2006165637.tif 000007
【図６】
2006165637.tif 000008
【図７】
2006165637.tif 000009